(57)【特許請求の範囲】
【請求項１】
同サイズの表面シートと裏面シートとが縁部を合わせて貼合された情報隠蔽用シートであって、
前記情報隠蔽用シートは、表裏面シート間において粘着剤層間に層間剥離層が配された構造の層間剥離層部を備え、
前記粘着剤層および層間剥離層が、透明または半透明であり、
前記層間剥離層部においては表裏面シートの粘着剤対向面が前記粘着剤層に対して剥離可能とされ、
前記層間剥離層部以外の部分においては表裏面シートが剥離不能あるいは難剥離状態に貼合されている、
ことを特徴とする情報隠蔽用シート。
【請求項２】
左右折片部とその間の中央部とからなる三つ折り形態であり、一方の折片部が層間剥離層部である、請求項１記載の情報隠蔽シート。
【請求項３】
表面シートおよび裏面シートは、層間剥離層を備える層間剥離層部と他の部分との間に易切り離し線を有する請求項１または２記載の情報隠蔽用シート。
【請求項４】
層間剥離層は、擬似接着剤層またはフィルムが貼合された透明または半透明の層間剥離層である請求項１〜３の何れか１項に記載の情報隠蔽用シート。
【請求項５】
層間剥離層を有する層間剥離層部以外の部分において、表面シートと裏面シートとの間に光吸収層を備える、請求項１〜４の何れか１項に記載の情報隠蔽用シート。
【発明の詳細な説明】
【技術分野】
【０００１】
本発明は、情報を他人に知られることなく郵送等の手段をもって伝達可能とする親展葉書などに用いられる情報隠蔽用シートに関する。
【背景技術】
【０００２】
従来の、情報隠蔽用シートは、基紙上に糊層を設けこの糊層に隠蔽すべき情報を印字・印刷するいわゆる先糊方式とよばれるタイプと、基紙に隠蔽すべき情報を印字・印刷したのちに、この印字・印刷面に糊層を付与する後糊タイプとよばれるものがある。
【特許文献１】特開平２００１−３３４７７７
【特許文献２】特開平２００１−０１１３５６
【特許文献３】特開平２００３−０２７０２６
【特許文献４】特開平２００４−２１７８３８
【発明の開示】
【発明が解決しようとする課題】
【０００３】
先糊タイプは、糊層のみを付与した状態で利用者に渡し、必要に応じて利用者がシート毎に適当な情報を印字・印刷できるという利点がある一方、糊層上に印字・印刷することから、印字・印刷した情報が不鮮明になりやすい欠点があった。
一方、後糊タイプは、基紙に直接、印字・印刷できることから印字・印刷した情報が鮮明で、しかも印字・印刷後に糊層が付与されることから追記性がなく親展性に優れるという利点がある。しかし、印字・印刷後に糊層を付与する性格からこれらを一連に行う必要があり、利用者がシート毎に個々別々の情報を印字・印刷するといった用途には不向きであった。
また、隠蔽情報をラベルで被覆する特許文献２などの方法もあるが、利用者が主に使用する家庭用、個人用プリンタで印字・印刷する場合は枚葉式プリンタが多く、印刷中に隠蔽ラベルのエッジが引っ掛かって印刷中に隠蔽ラベルが剥離する事故や、情報記入部と隠蔽ラベル部の紙厚差によりプリンタにおける搬送トラブル、印刷トラブルのおそれがある。さらに隠蔽情報量は隠蔽シート片面分のみであるため、隠蔽情報量隠蔽情報部どうしを貼合する場合と比較して、隠蔽情報量が少ない問題がある。
そこで、本発明の主たる課題は、印字・印刷した情報が鮮明であり、親展性に優れるとともに、利用者がシート毎に別々の情報を印字・印刷する用途にも利用しやすく、隠蔽情報量の多い情報隠蔽式シートを提供することにある。
【課題を解決するための手段】
【０００４】
上記課題を解決した本発明およびその作用効果は次記のとおりである。
＜請求項１記載の発明＞
同サイズの表面シートと裏面シートとが縁部を合わせて貼合された情報隠蔽用シートであって、
前記情報隠蔽用シートは、表裏面シート間において粘着剤層間に層間剥離層が配された構造の層間剥離層部を備え、
前記粘着剤層および層間剥離層が、透明または半透明であり、
前記層間剥離層部においては表裏面シートの粘着剤対向面が前記粘着剤層に対して剥離可能とされ、
前記層間剥離層部以外の部分においては表裏面シートが剥離不能あるいは難剥離状態に貼合されている、
ことを特徴とする情報隠蔽用シート。
【０００５】
＜請求項２記載の発明＞
左右折片部とその間の中央部とからなる三つ折り形態であり、一方の折片部が層間剥離層部である、請求項１記載の情報隠蔽シート。
【０００６】
＜請求項３記載の発明＞
表面シートおよび裏面シートは、層間剥離層を備える層間剥離層部と他の部分との間に易切り離し線を有する請求項１または２記載の情報隠蔽用シート。
【０００７】
＜請求項４記載の発明＞
層間剥離層は、擬似接着剤層またはフィルムが貼合された透明または半透明の層間剥離層である請求項１〜３の何れか１項に記載の情報隠蔽用シート。
【０００８】
＜請求項５記載の発明＞
層間剥離層を有する層間剥離層部以外の部分において、表面シートと裏面シートとの間に光吸収層を備える、請求項１〜４の何れか１項に記載の情報隠蔽用シート。
【発明の効果】
【０００９】
本発明によれば、印字・印刷した情報が鮮明であり、親展性に優れるとともに、利用者がシート毎に別々の情報を印字・印刷する用途にも利用しやすく、隠蔽情報領域の大きい情報隠蔽式シートが提供される。
【発明を実施するための最良の形態】
【００１０】
次いで、本発明の情報隠蔽用シートを、親展性葉書に用いた例を挙げて以下に詳述する。図１は、本実施の形態の情報隠蔽用シートの正面図であり、図２は、そのＩＩ−ＩＩ断面図である。
【００１１】
図１および２に示されるように、本形態の情報隠蔽用シートＸ１は、葉書サイズの用紙を横並びに３枚分連接された大きさの表面シート１および裏面シート２とが縁部を合わせて貼合されて形成されており、左右折片部Ａ，Ｂをその間の中央部Ｃと重ねた三つ折り形態としたときに、葉書サイズとなるように構成されている。
【００１２】
前記表裏面シート１，２は、古紙を原料とする再生紙あるいはバージンパルプ原料とする非再生紙のいずれをも用いることができる。また、基紙の抄紙方法は、特に限定されず、洋紙の一般的な抄紙技術により抄紙することができる。原料パルプをスラリー化したのち、長網抄紙機、丸網抄紙機、ツインワイヤータイプの抄紙機、多層抄の抄紙機等の抄紙機等を使用して抄紙すればよい。本形態では、後述するが、特に表裏面シートに直接情報を印字・印刷するので、例えばインクジェット記録装置での記録を想定しているのであれば、表面に界面活性剤や填料などを塗布などを含むインク需要層を形成したインクジェット記録用紙とするのが望ましい。
【００１３】
その一方の折片部（図１正面図における右側折片部）Ａが層間剥離層部であり、表裏面シート１，２間に粘着剤層３Ｘ，３Ｙ間に層間剥離層４が配された構造有する。他の折片部（図１正面図における左側折片部）Ｂおよび中央部Ｃは、粘着剤層３のみを有しこの部分では表裏面シート１，２が前記粘着剤層３によって実用上剥離不能に強固に貼合されている。
【００１４】
また、前記左側折片部Ｂと中央部Ｃには表面シート側の同一面Ｂ１，Ｃ１に隠蔽情報記入部１０，１１がそれぞれ形成されている。この隠蔽情報記入部１０，１１は、例えば、親展情報や金融機関に関する情報などの隠蔽情報を記載する箇所を指定するための文字・枠等でありオフセット印刷、グラビア印刷、あるいはプリンタ等によって適宜の枠線、文字、図形などを印刷して設けることができる。
【００１５】
ここで、層間剥離層４を有する右側折片部Ａ以外の左側折片部Ｂおよび中央部Ｃにおいては、表面シート１と裏面シート２との間に光吸収層を設けるのが望ましい。この光吸収層は、前記隠蔽情報記入部１０，１１に記入した隠蔽情報をシート反対面（裏面シート側面Ｂ２，Ｃ２）から透けて見えないようにするための層であり、例えば、黒色のシート層やインキ層等で構成することができる。本形態の情報隠蔽用シートでは、粘着剤層３と別途の光吸収層を設けてはいないが、当該部分における粘着剤層を黒色にすることにより光吸収層を兼用している。
【００１６】
他方、層間剥離層４を備える右側折片部Ａにおいては、表裏面シート１，２の粘着剤対向面が前記粘着剤層３Ｘ，３Ｙに対して剥離可能とされており、この表裏面シート１，２を粘着剤層３Ｘ，３Ｙから剥離することによって、当該粘着剤層３Ｘ，３Ｙ面が露出される。
【００１７】
表裏面シート１，２を剥離可能とするには、表裏面シート１，２の当該部分を予め離型処理５することにより達成できる。離型処理としては、例えば、表裏面シートの当該部分に対して、シリコン、長鎖アルキルポリマー、ポリオレフィン、アルキド樹脂、フッ素化合物等の離型剤を０．１〜５．０ｇ／ｍ2程度塗布する。塗布は、エアナイフコーター、ブレードコーター、ロッドメタリングコーター、カーテンコーター、ロールコーター等の従来各種塗工機による塗工によって塗布することができる。模様印刷あるいはベタ印刷によって離型剤の塗布量や塗布分布を適宜調整することが容易なオフセット印刷、グラビア印刷、凸版印刷、凹版印刷など各種印刷による印刷塗工でもよい。
【００１８】
また、前記表面シート１および裏面シート２は、層間剥離層４を備える右側折片部Ａと中央部Ｃとの間にミシン目あるいはスリットで形成された易切り離し線２０，２０が形成されており、前記右側折片部Ａにおいて粘着剤層３Ｘ，３Ｙからの表裏面シート１，２を剥離すると同時あるいは剥離した後にこの切離し線２０，２０で切り離して、当該部分を分離除去することが可能に構成されている。この剥離除去される表裏面シート１，２の一部は、隠蔽情報の控え用紙とすることができる。
【００１９】
一方、前記粘着剤層３，３Ｘ、３Ｙは、一部離型処理後の表裏面シート１，２の当該部位に粘着剤を塗布することなど適宜の方法により設けることができる。粘着剤としては、特開２００３−２７０２６、特開２００４−２１７８３８に開示される剥離性粘着剤、アクリル酸アルキルエステルを含有したアクリル共重合水性エマルジョン等の剥離性接着剤、エマルジョン系強粘着剤、ゴム系粘着剤、溶剤系粘着剤等の非剥離性粘着剤が使用可能である。
【００２０】
粘着剤の塗布は、エアナイフコーター、ブレードコーター、ロッドメタリングコーター、カーテンコーター、ロールコーター等の従来各種塗工機による塗工によって塗布することができる。
【００２１】
他方、層間剥離層４は、擬似接着剤層またはフィルムが貼合された透明あるいは半透明の層間剥離層であり、前記疑似接着剤層を構成する疑似接着剤の凝集破壊、あるいは貼合されたフィルム同士の剥離によって、簡易に層間剥離するように構成されている。フィルム貼合層とする場合には、フィルム層同士の接着は静電気力による貼合、弱粘着剤による貼合を採ることができる。弱粘着部は、上記に掲げた粘着剤の塗布量を少なくしたり、粘着力を低下させて用いる、また、粘着層を平面視で部分的に配することや、粘着剤層上に部分的に糊殺し層を配することで粘着力を弱めることにより形成することができる。ここで、それらが剥離されるための力は、右側折片部Ａにおいて表裏面シート１，２を粘着剤層３Ｘ，３Ｙから剥離するための力より大きな力が必要とされるように構成されている。すなわち、右側折片部Ａにおいて表裏面シート１，２を粘着剤層３Ｘ，３Ｙから剥離するさいには剥離されないように構成されている。
【００２２】
しかし、その疑似接着剤層あるいはフィルム貼合層を剥離するための力は、右側折片部Ａの表面シート１を剥離除去して粘着剤層３Ｘを露出させた状態で、この表面シート側Ａ１の粘着剤層露出右側折片部３を中央部Ｃ（Ｃ１）に折り重ねて接着させたのち、この接着面を剥離しようとする力よりは小さい。
【００２３】
そしてまた、表面シート側粘着剤層露出右側折片部を中央部に折り重ねて接着させた状態で、右側折片部Ａの裏面シート２を剥離除去することにより露出する裏面シート側Ａ２の粘着剤層露出面３Ｙに対して、他方の左側折片部Ｂ（Ｂ１）を折り重ねて接着したのち、この接着面を剥離しようとする力よりは小さい。
【００２４】
すなわち、各層間の接着力は、右側折片部Ａにおける表裏面シート１，２と粘着剤層３との接着力＜層間剥離層４の層間剥離力＜右側折片部Ａの粘着剤層面３Ｘ，３Ｙと左側折片部Ｂおよび中央部Ｃの表裏面シート１，２の外面Ｂ１，Ｂ２，Ｃ１，Ｃ２との接着力＜左側折片部Ｂおよび中央部Ｃにおける表裏面シート１，２の接着力、である。
【００２５】
一方、本形態Ｘ１においては、右側折片部Ａにおける前記粘着剤層３Ｘ，３Ｙおよび層間剥離層４は、透明または半透明であり、これらは粘着剤層３Ｘ，３Ｙを形成するための粘着剤、および層間剥離層４を形成するため疑似接着剤、フィルムシートの適宜の選択により透明または半透明とする。例えば、粘着剤層、疑似接着剤層の形成にあたって、乾燥後に透明または半透明となる疑似接着剤あるいは粘着剤を用いる。また、透明粘着フィルムを用いてフィルム貼合層を形成する。
【００２６】
次いで、本形態Ｘ１の使用態様について以下説明する。
まず、本形態の情報隠蔽用シートＸ１に対して、隠蔽情報や宛名情報などの必要情報を適宜の箇所１０，１１，Ｂ２に印字・印刷する。なお、層間剥離層４および粘着剤層３は、表裏面シート１，２に対して薄く形成することができ、また、図１および図２にも示すとおり、本形態の情報隠蔽用シートＸ１は、同サイズ表裏面シート１，２が実用上縁を合わせて貼合されているので印刷面（表裏面）は実質的に平坦で段差がなく、プリンタ等の印刷機における搬送性や印刷性に優れる。
【００２７】
次いで、図３および４に示されるように、右側折片部Ａにおける表面シート１を剥離するとともに、易切り離し線２０より切り離して除去し、当該右側折片部Ａの表面シート側粘着剤層３Ｘを露出させる。このとき、表面シート１を粘着剤層３から剥離する力は、層間剥離層４の層間剥離力及び裏面シート２を粘着剤層３Ｙから剥離する力よりも小さい力でよいので、層間剥離層４で剥離することはない。
【００２８】
このように右側折片部Ａの表面シート側粘着剤層を露出させたならば、図５および６に示すように、右側折片部Ａを中央部側Ｃ（Ｃ１）に折り返し重ね合わせて、中央部Ｃの表面シート側面Ｃ１と右側折片部Ａの表面シート側粘着剤層３とを接着させる。この状態では、左側折片部Ｂの表面シート側面Ｂ１と右側折片部Ａの裏面シート側面Ａ２とが同一面となる。
【００２９】
次いで、図７および８に示すように、右側折片部Ａの裏面シート２を剥離するとともに、易切り離し線２０より切り離して除去し、右側折片部Ａの裏面シート側粘着剤層３を露出させる。このとき、裏面シート２を粘着剤層３Ｙから剥離する力は、層間剥離層４の層間剥離力よりも小さい力でよいので、層間剥離層４で剥離することはない。
【００３０】
このように右側折片部Ａの裏面シート側粘着剤層を露出させたならば、図９および１０に示すように、左側折片部Ｂを中央部側に折り返して中央部Ｃ（Ｃ１）に重ね合わされている右側折片部Ａの裏面シート側粘着剤面３Ｙに対して接着する。
【００３１】
この状態としたときに、本形態Ｘ１では左側折片部Ｂの裏面シート側面Ｂ２に印刷されていた宛名情報１３が正面となるとともに、左側折片部Ｂの表面シート側面Ｂ１および中央部Ｃの表面シート側面Ｃ１にある隠蔽情報記入欄１０，１１およびそこに記入された隠蔽情報が隠蔽された状態となる。
【００３２】
かくして、情報隠蔽状態で差出可能な状態の親展葉書態様となり、そして差し出された親展葉書を受け取った受取人が、図１１および１２に示すように、左側折片部Ｂと中央部Ｃとの間で裂くように開く作業おこなうと、粘着剤層３Ｘ、３Ｙと表裏面シート１，２との接着力が層間剥離層４の層間剥離しない力よりも強いことから、層間剥離層４から層間剥離される。
【００３３】
このとき、隠蔽情報記入欄１０，１１は、層間剥離されて二分された層間剥離層４の一方層４Ａ，４Ｂによって被覆されて状態となるが、本形態のシートＸ１は、隠蔽情報記入部１０，１１を被覆している粘着剤層３および層間剥離層４Ａ，４Ｂはともに透明または半透明であるので、この被覆態様においてもかかる粘着剤層３および層間剥離層４Ａ，４Ｂを透して、その下層の隠蔽情報を読み取ることが可能である。
【００３４】
そして、このように再剥離時に隠蔽情報記入部１０，１１が被覆されることにより、再剥離後に隠蔽情報記入部１０，１１に新たな情報を印字・印刷するなど追記がしずらく、また、追記した場合にはその事実を確認することが容易であるため、差出人が記入した隠蔽情報が他者により改ざん等されることなく、確実に受取人が受け取って読み取ることができ、極めて親展性が高い情報隠蔽用シートといった効果を奏するのである。
【００３５】
なお、図中においては、説明の便宜のため右側折片部Ａにおける表裏面シート１，２の厚さを他の部分と比較して薄く表現したが、実際には表裏面シート１，２の厚さはすべての部分Ａ、Ｂ，Ｃで同一である。また、右側折片部Ａにおける表裏面シート１，２間の層３Ｘ，３Ｙ，４，５を他の部分Ｂ、Ｃの粘着剤層３と比較して厚く表現したが、それらの厚さの差は実際には極めて小さい。従って、例えば、粘着剤層３，３Ｘ，３Ｙは、右側折片部Ａと他の部分Ｂ，Ｃとの間で途切れているように表現されているが実際には連続的に設けられている。さらに、Ａ、Ｃの部分に比べてＢの折片部を大きくすれば、Ｂの片面の一部分のみを隠蔽情報記録部とすることもできる。
【００３６】
（他の実施の形態）
本発明の他の形態を図１３〜２３に示す。本形態は、特に図１３および１４に示されるように中央部Ｃに層間剥離層を有する形態である。すなわち、中央部Ｃが層間剥離部であり、左右折片部Ａ，Ｂがともに前記第１の形態における左側折片部Ｂと同様の層構造を有する形態である。表裏面シート１，２や粘着剤層３，３Ｘ，３Ｙ、層間剥離層４（４Ａ，４Ｂ）およびそれらの形成方法等は、第１の実施の形態と同様である。
【００３７】
本形態では、左側折片部Ｂの表面Ｂ２と右側折片部Ａの裏面Ａ１に隠蔽情報記入部が設けられている。さらに、これらいずれかの隠蔽情報記入部の反対面に宛名情報等を記入する部分が設けられる。すなわち、左側折片部Ｂの裏面Ｂ２または右側折片部Ａの表面Ａ１の何れかに、宛名情報等を記入する部分が設けられる（図示例では、右側折片部Ａの裏面Ａ２が宛名情報記入部となっている。
【００３８】
本形態における各層間の接着力は、中央部における表裏面シート１，２と粘着剤層３との接着力＜層間剥離層４の層間剥離力＜中央部Ｃの粘着剤層面３Ｘ，３Ｙと左側折片部Ｂおよび右側折片部Ａの表裏面シート１，２の外面Ｂ１，Ｂ２，Ａ１，Ａ２との接着力＜左側折片部Ｂおよび右側折片部Ａにおける表裏面シート１，２の接着力、である。
【００３９】
本形態Ｘ２の使用態様については、まず、本形態の情報隠蔽用シートＸ２に対して、隠蔽情報や宛名情報などの必要情報を適宜の箇所Ｂ２（１０），１１，Ａ２に印字・印刷する。
【００４０】
次いで、図１５および１６に示されるように、中央部Ｂにおける表面シート１を剥離するとともに易切り離し線２０，２０より切り離して除去し、当該中央部Ｂの表面シート側粘着剤層３Ｘを露出させる。このとき、表面シート１を粘着剤層３から剥離する力は、層間剥離層４の層間剥離力及び裏面シート２を粘着剤層３Ｙから剥離する力よりも小さい力でよいので、層間剥離層４で剥離することはない。
【００４１】
このように中央部Ｃの表面シート側粘着剤層を露出させたならば、図１７および図１８に示すように、右側折片部Ａを中央部側Ｃ（Ｃ１）に折り返し重ね合わせて、右側折片部Ａの表面シート側面Ａ１と中央部Ｃの表面シート側粘着剤層３Ｘとを接着させる。この状態では、左側折片部Ｂの表面シート側面Ｂ１と右側折片部Ａの裏面シート側面Ａ２とが同一面となる。
【００４２】
そして、この状態としたときに、本形態Ｘ２では右側折片部Ａの裏面シート側面Ａ２に印刷されていた宛名情報が正面となるとともに、右側折片部Ａの表面シート側面Ａ１にある隠蔽情報記入欄１１およびそこに記入された隠蔽情報が隠蔽された状態となる。
【００４３】
次いで、図１９に示すように、中央部Ｂの裏面シート２を剥離するとともに、易切り離し線２０より切り離して除去し、中央部Ｂの裏面シート側粘着剤層３Ｙを露出させる。このとき、裏面シート２を粘着剤層３Ｙから剥離する力は、層間剥離層４の層間剥離力よりも小さい力でよいので、層間剥離層４で剥離することはない。
【００４４】
このように中央部Ｃの裏面シート側粘着剤層３Ｙを露出させたならば、左側折片部Ｂを中央部側に折り返して、図２０および２１に示すように、左側折片部Ｂの裏面シート側面Ｂ２と中央部Ｃの裏面シート側粘着剤層３Ｙとを接着させる。
【００４５】
そして、この状態としたときに、本形態Ｘ２では左側折片部Ｂの裏面シート側面Ｂ２にある隠蔽情報記入欄１１およびそこに記入された隠蔽情報が隠蔽された状態となる。
【００４６】
かくして、情報隠蔽状態で差出可能な状態の親展葉書態様となり、そして差し出された親展葉書を受け取った受取人が、図２２および２３に示すように、左側折片部Ｂと右側折片部Ａとの間で裂くように開く作業おこなうと、粘着剤層３Ｘ、３Ｙと表裏面シート１，２との接着力が層間剥離層４の層間剥離しない力よりも強いことから、中央部Ｃのうち残存する層間剥離層４から層間剥離される。
【００４７】
このとき、隠蔽情報記入欄１０，１１は、層間剥離されて二分された層間剥離層４の一方層４Ａ，４Ｂによって被覆されて状態となるが、本形態のシートＸ２は、隠蔽情報記入部１０，１１を被覆している粘着剤層３および層間剥離層４Ａ，４Ｂはともに透明または半透明であるので、この被覆態様においてもかかる粘着剤層３および層間剥離層４Ａ，４Ｂを透して、その下層の隠蔽情報を読み取ることが可能である。
【００４８】
なお、本形態の情報隠蔽葉書Ｘ２では、図２２および２３から明らかなとおり、隠蔽情報を読み取るさいに層間剥離層（層間剥離部）４にて剥離させると二枚の紙片に分割される。
【産業上の利用可能性】
【００４９】
本発明は、親展情報を記載して郵送する親展葉書、支給金額を記載して給与受取人に渡す給料明細書、クレジット番号が記載された売上伝票など、特定人にのみ隠蔽情報を開示することが要求される用途において、利用可能である。
【図面の簡単な説明】
【００５０】
【図１】第１の実施形態の情報隠蔽葉書の正面図である。
【図２】そのＩＩ−ＩＩ断面図である。
【図３】右側折片部の表面シートを剥離除去した状態を示す正面図である。
【図４】そのＩＶ−ＩＶ断面図である。
【図５】右側折片部を中央部に折り重ねた状態を示す正面図である。
【図６】そのＶＩ−ＶＩ断面図である。
【図７】右側折片部の裏面シートを剥離除去した状態を示す正面図である。
【図８】そのＶＩＩＩ−ＶＩＩＩ断面図である。
【図９】左側折片部を中央部に折り重ねて情報が隠蔽された状態を示す正面図である。
【図１０】そのＸ−Ｘ断面図である。
【図１１】層間剥離層を剥離して隠蔽情報読み取れる状態とした態様の正面図である。
【図１２】そのＸＩＩ−ＸＩＩ断面図である。
【図１３】他の実施形態の情報隠蔽葉書の正面図である。
【図１４】そのＸＩＶ−ＸＩＶ断面図である。
【図１５】中央部の表面シートを剥離除去した状態を示す正面図である。
【図１６】そのＸＶＩ−ＸＶＩ断面図である。
【図１７】右側折片部を中央部に折り重ねた状態を示す正面図である。
【図１８】そのＸＶＩＩＩ−ＸＶＩＩＩ断面図である。
【図１９】左側折片部の裏面シートを剥離除去した状態を示す断面図である。
【図２０】左側折片部を中央部に折り重ねて情報が隠蔽された状態を示す正面図である。
【図２１】そのＸＸＩ−ＸＸＩ断面図である。
【図２２】層間剥離層で剥離して隠蔽情報読み取れる状態とした態様の正面図である。
【図２３】そのＸＸＩＩＩ−ＸＸＩＩＩ断面図である。
【符号の説明】
【００５１】
１…表面シート、２…裏面シート、３…粘着剤層、４，４Ａ，４Ｂ…層間剥離層、５…離型処理部、１０，１１…隠蔽情報記入部、１３…宛名情報記入部、２０…易切り離し線（ミシン目線）、Ａ…右側折片部、Ｂ…左側折片部、Ｃ…中央部、Ａ１…右側折片部の表面シート側面、Ａ２…右側折片部の裏面シート側面、Ｂ１…左側折片部の表面シート側面、Ｂ２…左側折片部の裏面シート側面、Ｃ１…中央部の表面シート側面、Ｃ２…中央部の裏面シート側面、Ｘ１…情報隠蔽用シート。
【図１】
0004500271.tif 000002
【図２】
0004500271.tif 000003
【図３】
0004500271.tif 000004
【図４】
0004500271.tif 000005
【図５】
0004500271.tif 000006
【図６】
0004500271.tif 000007
【図７】
0004500271.tif 000008
【図８】
0004500271.tif 000009
【図９】
0004500271.tif 000010
【図１０】
0004500271.tif 000011
【図１１】
0004500271.tif 000012
【図１２】
0004500271.tif 000013
【図１３】
0004500271.tif 000014
【図１４】
0004500271.tif 000015
【図１５】
0004500271.tif 000016
【図１６】
0004500271.tif 000017
【図１７】
0004500271.tif 000018
【図１８】
0004500271.tif 000019
【図１９】
0004500271.tif 000020
【図２０】
0004500271.tif 000021
【図２１】
0004500271.tif 000022
【図２２】
0004500271.tif 000023
【図２３】
0004500271.tif 000024